(57)【特許請求の範囲】
【請求項１】
複数の日付の番組を含む電子番組表の一部を表示対象区間として、該表示対象区間を表示部に表示する電子番組表表示装置であって、
電子番組表の時間軸方向に第１の速度でスクロールすることによって、上記表示対象区間を変更する低速スクロールモード、および、第１の速度よりも高速な第２の速度でスクロールすることによって、上記表示対象区間を変更する高速スクロールモードを有するスクロール手段と、
上記スクロール手段が上記高速スクロールモードで上記電子番組表をスクロールする場合に、上記複数の日付によって構成される日付群を上記表示部に表示する表示制御手段と、を備えており、
上記表示制御手段は、上記スクロール手段が上記低速スクロールモードで上記電子番組表をスクロールする場合に、上記電子番組表を構成する複数の番組セルのうち、選択された番組セルが指し示す番組の番組情報を、上記日付群に代えて上記表示部に表示することを特徴とする電子番組表表示装置。
【請求項２】
上記表示制御手段は、上記スクロール手段が高速スクロールを停止した後、上記電子番組表のうち、選択された番組セルが指し示す番組の番組情報を、表示することを特徴とする請求項１に記載の電子番組表表示装置。
【請求項３】
上記表示制御手段は、上記日付群のうち、上記表示対象区間に対応する日付を、他の日付とは異なる様態で表示することを特徴とする請求項１または２に記載の電子番組表表示装置。
【請求項４】
上記表示制御手段は、棒状領域を複数の区画に区切り、それぞれの区画に上記日付群に含まれる日付を割り当てたスライドバーを表示し、
上記高速スクロールモードのとき、上記表示制御手段は、上記表示対象区間を示すスクロール情報を、上記スライドバーにおける上記表示対象区間に対応する位置に表示することを特徴とする請求項１または２に記載の電子番組表表示装置。
【請求項５】
請求項１から４の何れか１項に記載の電子番組表表示装置を含むことを特徴とするテレビジョン受像機。
【発明の詳細な説明】
【技術分野】
【０００１】
本発明は、情報を表示する装置、特に電子番組表を表示する電子番組表表示装置、および、そのような電子番組表表示装置を含むテレビジョン受像機に関する。
【背景技術】
【０００２】
従来から、テレビ放送におけるデジタル放送では、番組だけでなく番組案内情報が伝送されており、表示装置は、この番組案内情報を用いて電子番組表（ＥＰＧ：Ｅｌｅｃｔｒｏｎｉｃ  Ｐｒｏｇｒａｍｍｉｎｇ  Ｇｕｉｄｅ）を表示している。電子番組表は、例えば、縦軸を時間軸、横軸をチャンネル番号軸として、複数の番組案内情報が、マトリックス状に形成されているものである。
【０００３】
このような電子番組表を用いて番組を検索する場合、例えば、電子番組表を表示中に日時切替ボタンを押下すると、表示する電子番組表の日時の範囲を指定可能なカレンダー画面に遷移し、表示する電子番組表の日時の範囲を指定する表示装置が提案されている（例えば、非特許文献１）。
【先行技術文献】
【非特許文献】
【０００４】
【非特許文献１】「ブルーレイディスクレコーダー取扱説明書  ２．操作編」、［online］、２０１２年、シャープ株式会社、［２０１２年１０月９日検索］、インターネット＜http://www.sharp.co.jp/support/av/dvd/doc/bdt510-2100_ope.pdf＞
【発明の概要】
【発明が解決しようとする課題】
【０００５】
しかしながら、昨今の電子番組表表示装置においては、現在選択されているセルに対応する番組の番組情報や、現在表示対象となっている電子番組表の日付などを、電子番組表本体（各番組に対応する番組セルからなるセル群）と共に表示することが行われるようになっている。このように、番組情報等の情報を電子番組表本体と共に表示しようとすると、電子番組表本体の表示に使える領域が小さくなってしまい、電子番組表本体の視認性が低下するという問題を生じる。
【０００６】
本発明は上記問題に鑑みてなされたものであり、その目的は、電子番組表本体を徒に縮小することなく、電子番組表本体と共に番組情報等の情報を表示可能な電子番組表表示装置等を実現することにある。
【課題を解決するための手段】
【０００７】
上記の課題を解決するために、本発明の一態様に係る電子番組表表示装置は、複数の日付の番組を含む電子番組表の一部を表示対象区間として、該表示対象区間を表示部に表示する電子番組表表示装置であって、電子番組表の時間軸方向に第１の速度でスクロールすることによって、上記表示対象区間を変更する低速スクロールモード、および、第１の速度よりも高速な第２の速度でスクロールすることによって、上記表示対象区間を変更する高速スクロールモードを有するスクロール手段と、上記スクロール手段が上記高速スクロールモードで上記電子番組表をスクロールする場合に、上記複数の日付によって構成される日付群を上記表示部に表示する表示制御手段と、を備えていることを特徴としている。
【発明の効果】
【０００８】
本発明の一態様によれば、電子番組表表示装置は、電子番組表本体（各番組に対応する番組セルからなるセル群）を徒に縮小することなく、電子番組表本体と共に番組情報等の情報を表示することができるという効果を奏する。
【図面の簡単な説明】
【０００９】
【図１】本発明の実施の形態におけるテレビの要部構成を示すブロック図である。
【図２】電子番組表の表示画面例を示す図である。
【図３】スクロールボタンが押下されたときの電子番組表の表示画面例を示す図である。
【図４】スクロールボタンが押下されたときの電子番組表の表示画面の他の例を示す図である。
【発明を実施するための形態】
【００１０】
以下、本発明の実施の形態について、詳細に説明する。本実施の形態に係るテレビジョン受像機（以下、テレビと略す）は、受信した番組情報を用いて電子番組表（ＥＰＧ）を作成し、表示するものである。
【００１１】
（テレビの構成）
図１は、本発明の一実施形態に係るテレビの要部構成を示すブロック図である。図１に示すように、テレビ１は、受信部２、表示制御部（表示制御手段）３、表示部４、番組情報記憶部５、電子番組表処理部６、およびリモコン受光部７を含む構成である。また、電子番組表処理部（スクロール手段）６は、押下時間判定部１１、およびスクロール処理部（スクロール手段）１２を含む構成である。なお、テレビ１においてテレビ放送を受信し、表示する機能については、公知の技術を用いて可能であり、その説明は省略する。
【００１２】
また、テレビ１に含まれる各ブロックのうち、表示制御部３、表示部４、番組情報記憶部５、および電子番組表処理部６により電子番組表表示装置が構成される。
【００１３】
受信部２は、アンテナ８を介して、テレビ放送および番組情報を受信するものである。受信部２は、受信したテレビ放送に対し、受信処理を行った後、表示制御部３に送信する。また、受信した番組情報については、番組情報記憶部５に格納する。
【００１４】
表示制御部３は、受信部２から取得したテレビ放送や、電子番組表処理部６から取得した電子番組表、および電子番組表に対する処理結果を、表示部４に表示させるものである。
【００１５】
表示部４は、表示制御部３の制御により、テレビ放送や電子番組表を表示する表示デバイスである。表示部４の例としては、液晶ディスプレイ、有機ＥＬ（Electro Luminescence）ディスプレイ、プラズマディスプレイ等が挙げられる。
【００１６】
番組情報記憶部５は、受信部２が受信した番組情報を記憶しているものである。番組情報の内容としては、番組名、番組内容、放送時間、放送局、出演者、番組のカテゴリー等が挙げられる。
【００１７】
電子番組表処理部６は、番組情報記憶部５に記憶されている番組情報を用いて電子番組表を作成し、表示制御部３に送信するものである。電子番組表の例としては、縦を時間軸、横をチャンネル番号軸としたマトリクス表示の番組表を挙げることができる。また、電子番組表は、複数の番組セルで構成されている。また、電子番組表は、複数の日付の番組を含んでいる。
【００１８】
電子番組表処理部６は、複数の日付の番組を含む電子番組表の一部を表示対象区間として、該表示対象区間を表示部４に表示させる指示を表示制御部３に通知する。なお、表示部４に表示された電子番組表の一部を電子番組表本体（各番組に対応する番組セルからなるセル群）とも呼ぶ。
【００１９】
また、電子番組表処理部６は、押下時間判定部１１およびスクロール処理部１２を含み、リモコン受光部７で受光したリモコンからの信号に基づいて、電子番組表に対する処理を行い、処理結果を表示制御部３に送信するものである。
【００２０】
押下時間判定部１１は、リモコン受光部７で受信した信号から、リモコン１０の特定のボタン、具体的には電子番組表をスクロールするボタンが所定時間以上、押下されているか否かを判定するものである。そして、押下時間判定部１１は、上記ボタンが所定時間以上、押下されていると判定すると、その旨をスクロール処理部１２へ通知する。
【００２１】
スクロール処理部１２は、押下時間判定部１１から、電子番組表をスクロールするボタンが所定時間以上押下されているとの通知を取得すると、電子番組表を低速スクロールモードまたは高速スクロールモードでスクロールする。具体的には、電子番組表をスクロールするボタンが所定時間以上押下されると、スクロール処理部１２は、電子番組表のスクロールモードを低速スクロールモードにし、電子番組表におけるカーソルが時間軸方向に、例えば、３時間分移動したとき、電子番組表のスクロールモードを高速スクロールモードにする。
【００２２】
そして、スクロール処理部１２は、低速スクロールモードまたは高速スクロールモードで電子番組表をスクロールする。
【００２３】
ここで、低速スクロールモードとは、電子番組表を低速（第１の速度）でスクロールすることによって、電子番組表の表示対象区間を変更するモードである。具体的には、電子番組表のスクロールを１番組ごと行うモードのことを言う。また、高速スクロールモードとは、低速スクロールモードのスクロール速度よりも高速な速度でスクロールすることによって、電子番組表の表示対象区間を変更するモードである。例えば、電子番組表のスクロールを１番組ごとではなく、所定の範囲ごとにスクロールするモードのことを言う。
【００２４】
リモコン受光部７は、リモコン１０からの信号を受信し、その内容を電子番組表処理部６に送信するものである。
【００２５】
次に、図２および図３を用いて、電子番組表の表示画面の具体例について説明する。図２および図３は、電子番組表の表示画面例を示す図である。
【００２６】
図２の表示画面例２０１に示すように、表示部４の画面には、電子番組表本体（電子番組表の表示対象区間）が表示されている。また、画面の下部には、リモコン１０の各種ボタンに対応する処理が表示されている。また、画面の上部中央には、現在時刻が表示されている。画面上部の網掛け部分およびドットの部分は、例えば、テレビ１が受信した広告等が表示されている。なお、本実施形態において、図２に示す表示画面は一例であり、表示画面のレイアウトはこれに限定されるものではない。
【００２７】
まず、電子番組表本体が表示されたときは、図２の表示画面例２０１に示すように、現在時刻において、選択された番組の番組セルが強調表示されている。ここでは、現在時刻である午前７時１２分に対応する午前７時の４チャンネルの番組セルが強調表示されている。つまり、カーソル２１は、午前７時の４チャンネルの番組セルの位置にある。
【００２８】
カーソル２１によって強調表示された番組セルが示す番組の番組情報は、画面上における領域２２に表示されている。図２においては、番組情報として、番組の放送日時と番組名とが表示されている。電子番組表を構成する番組セル内に表示される文字数は、番組セルの大きさに依存する。そのため、例えば、番組セルが小さい、番組名が長い等の場合、番組セル内に番組名の全てを表示することができない。そのため、図２のように、番組名を番組セルとは別の領域に表示することにより、カーソル２１が示している番組の番組名をユーザに把握させることができる。
【００２９】
図２の状態において、電子番組表処理部６が、スクロールボタンが押下されていることを示す信号を受け付けると、カーソル２１は、１番組分、時間軸方向にある番組セルの位置に移動する。そして、スクロールボタンが所定時間以上押下されると、スクロール処理部１２は低速スクロールモードで電子番組表をスクロールする処理を行う。
【００３０】
その後、スクロールボタンが押下され続け、カーソル２１が時間軸方向に、例えば３時間分移動すると、スクロール処理部１２は高速スクロールモードで電子番組表をスクロール（高速スクロール）する処理を行う。
【００３１】
図３に、図２に示す状態から、高速スクロールが行われた時の電子番組表の表示画面の状態を示す。図３に示すように、表示画面例３０１では、画面上における領域２２に、番組情報に代えて、電子番組表に含まれる複数の日付によって構成される日付群が表示されている。また、電子番組表の表示対象区間（図３においては、午後６時から午後１１時の期間）の日付（図３においては、本日）に下線を入れて表示している。なお、電子番組表の表示対象区間の日付の表示様態はこれに限定されず、例えば、太字で表示する等、日付群のうち表示対象区間に対応する日付を、他の日付とは異なる様態で表示すればよい。
【００３２】
また、ユーザがスクロールボタンの押下を止めると、つまり、電子番組表処理部６が、スクロールボタンが押下されていることを示す信号を受け付けなくなると、スクロール処理部１２は、高速スクロールを停止する。そして、表示制御部３は、スクロールを停止した後に、電子番組表のうちユーザによって選択された番組セル、つまり、カーソル２１が示す番組セルが指し示す番組の番組情報を、図２に示すように、領域２２に日付群に代えて表示する。
【００３３】
これにより、ユーザに対し、低速スクロール時には、現在強調表示している番組の番組情報を適切かつ容易に認識させ、高速スクロール時には、表示対象区間に対応する日付を適切かつ容易に認識させることができる。更に、高速スクロール停止時には、ユーザに対し、現在強調表示している番組の番組情報を適切かつ容易に認識させることができる。したがって、テレビ１は、電子番組表の表示領域を徒に縮小することなく、電子番組表本体と共に番組情報等の情報を表示することができる。
【００３４】
〔変形例〕
上述した実施の形態では、高速スクロール中に、画面上の領域２２に、表示画面例３０１に表示されている電子番組表の表示対象区間に対応する日付を、他の日付とは異なる様態で表示することを例に説明を行ったが、本発明はこれに限定されるものではない。
【００３５】
図４に、図２に示す状態から、高速スクロールが行われた時の電子番組表の表示画面の状態の他の例を示す。図４に示すように、表示画面例４０１では、画面上の領域２２に、スライドバー２３を表示している。スライドバー２３は、棒状領域を複数の区画に区切り、それぞれの区画に電子番組表に含まれる複数の日付のそれぞれを割り当てたものである。スライドバー２３には、画面に表示されている表示対象区間（図４においては、午後６時から午後１１時の期間）を示すスクロール情報２４が、スライドバー２３における上記表示対象区間に対応する位置に表示されている。
【００３６】
テレビ１は、ユーザに対し、より好適に、表示対象区間に対応する日付を適切かつ容易に認識させることができる。したがって、上記電子番組表表示装置は、より好適に、電子番組表の表示領域を徒に縮小することなく、表示対象区間の電子番組表と共に番組情報等の情報を表示することができる。
【００３７】
〔まとめ〕
本発明の一態様に係る電子番組表表示装置は、一方の軸を時間軸とし、他方の軸をチャンネル番号軸としてマトリックス表示された電子番組表であって、複数の日付の番組を含む電子番組表の一部を表示対象区間として、該表示対象区間を表示部に表示する電子番組表表示装置であって、電子番組表を時間軸方向に第１の速度（低速）でスクロールすることによって、上記表示対象区間を変更する低速スクロールモード、および、第１の速度よりも高速な第２の速度（高速）でスクロールすることによって、上記表示対象区間を変更する高速スクロールモードを有するスクロール手段（スクロール処理部１２）と、上記スクロール手段が上記低速スクロールモードで上記電子番組表をスクロールする場合に、上記電子番組表を構成する複数の番組セルのうち、選択された番組セルが指し示す番組の番組情報を上記表示部に表示し、上記スクロール手段が上記高速スクロールモードで上記電子番組表をスクロールする場合に、上記複数の日付によって構成される日付群を上記番組情報に代えて上記表示部に表示する表示制御手段（表示制御部３）と、を備えていることを特徴としている。
【００３８】
上記構成によれば、電子番組表表示装置は、低速スクロール時に、選択された番組セルが指し示す番組の番組情報を上記表示部に表示し、高速スクロール時に、電子番組表に含まれる日付群を上記表示部に表示する。
【００３９】
これにより、電子番組表表示装置は、電子番組表の表示領域を徒に縮小することなく、表示対象区間の電子番組表と共に番組情報等の情報を表示することができる。
【００４０】
さらに、本発明の一態様に係る電子番組表表示装置の上記表示制御手段は、上記スクロール手段が高速スクロールを停止した後、上記電子番組表のうち、選択された番組セルが指し示す番組の番組情報を、表示することが好ましい。
【００４１】
上記構成によれば、電子番組表表示装置は、高速スクロール停止時に、選択された番組セルが指し示す番組の番組情報を上記表示部に表示する。これにより、電子番組表表示装置は、より好適に、ユーザに対し、選択された番組セルが指し示す番組の番組情報を適切かつ容易に認識させることができる。また、電子番組表表示装置は、より好適に、電子番組表の表示領域を徒に縮小することなく、表示対象区間の電子番組表と共に番組情報等の情報を表示することができる。
【００４２】
さらに、本発明の一態様に係る電子番組表表示装置の上記表示制御手段は、上記日付群のうち、上記表示対象区間に対応する日付を、他の日付とは異なる様態で表示することが好ましい。
【００４３】
上記構成によれば、上記電子番組表表示装置は、ユーザに対し、表示対象区間に対応する日付を適切かつ容易に認識させることができる。したがって、上記電子番組表表示装置は、より好適に、電子番組表の表示領域を徒に縮小することなく、表示対象区間の電子番組表と共に番組情報等の情報を表示することができる。
【００４４】
さらに、本発明の一態様に係る電子番組表表示装置の上記表示制御手段は、棒状領域を複数の区画に区切り、それぞれの区画に上記日付群に含まれる日付を割り当てたスライドバーを表示し、上記高速スクロールモードのとき、上記表示制御手段は、上記表示対象区間を示すスクロール情報を、上記スライドバーにおける上記表示対象区間に対応する位置に表示する構成であってもよい。
【００４５】
上記構成によれば、上記電子番組表表示装置は、ユーザに対し、より好適に、表示対象区間に対応する日付を適切かつ容易に認識させることができる。したがって、上記電子番組表表示装置は、より好適に、電子番組表の表示領域を徒に縮小することなく、表示対象区間の電子番組表と共に番組情報等の情報を表示することができる。
【００４６】
本発明の一態様に係る電子番組表表示装置の制御方法は、一方の軸を時間軸とし、他方の軸をチャンネル番号軸としてマトリックス表示された電子番組表であって、複数の日付の番組を含む電子番組表の一部を表示対象区間として、該表示対象区間を表示部に表示する電子番組表表示装置の制御方法であって、電子番組表を時間軸方向に第１の速度でスクロールすることによって、上記表示対象区間を変更する低速スクロールモード、または、第１の速度よりも高速な第２の速度でスクロールすることによって、上記表示対象区間を変更する高速スクロールモードで上記電子番組表をスクロールするスクロール工程と、上記スクロール工程において上記低速スクロールモードで上記電子番組表をスクロールする場合に、上記電子番組表を構成する複数の番組セルのうち、選択された番組セルが指し示す番組の番組情報を上記表示部に表示し、上記スクロール工程において上記高速スクロールモードで上記電子番組表をスクロールする場合に、上記複数の日付によって構成される日付群を上記番組情報に代えて上記表示部に表示する表示制御工程と、を含んでいることを特徴としている。
【００４７】
上記構成によれば、本発明の一様態にかかる電子番組表表示装置と同様の効果を奏する。
【００４８】
また、上記電子番組表表示装置を含むテレビジョン受像機、上記電子番組表表示装置を動作させるための電子番組表表示装置制御プログラム、および、そのような電子番組表表示装置制御プログラムが記録された記録媒体も、本発明の範疇に含まれる。
【００４９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００５０】
〔ソフトウェアによる実現例〕
最後に、テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【００５１】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、上記テレビ１に供給し、そのコンピュータ（またはＣＰＵやＭＰＵ）が記録媒体に記録されているプログラムコードを読み出し実行することによっても、達成可能である。
【００５２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００５３】
また、テレビ１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００５４】
本発明は、電子番組表を表示するデジタル放送対応テレビ等に好適である。
【符号の説明】
【００５５】
１  テレビ（テレビジョン受像機）
２  受信部
３  表示制御部（表示制御手段）
４  表示部
５  番組情報記憶部
６  電子番組表処理部
７  リモコン受光部
８  アンテナ
１０  リモコン
１１  押下時間判定部
１２  スクロール処理部（スクロール手段）
２１  カーソル
２２  領域
２３  スライドバー
２４  スクロール情報
【要約】
【課題】電子番組表本体と共に番組情報等の情報を表示する電子番組表表示装置を実現する。
【解決手段】電子番組表表示装置は、低速スクロールモードおよび高速スクロールモードを有するスクロール処理部（１２）と、低速スクロールモードのとき、選択された番組セルが指し示す番組の番組情報を表示し、高速スクロールモードのとき、電子番組表に含まれる複数の日付によって構成される日付群を上記番組情報に代えて表示する表示制御部（３）と、を備える。
【選択図】図１【図１】
0005464622.tif 000002
【図２】
0005464622.tif 000003
【図３】
0005464622.tif 000004
【図４】
0005464622.tif 000005